【手続補正書】
【提出日】平成19年5月16日(2007.5.16)
【手続補正１】
【補正対象書類名】明細書
【補正対象項目名】請求項１
【補正方法】変更
【補正の内容】
【請求項１】  横長の表示形態と縦長の表示形態との両方の表示形態が可能な矩形形状の表示画面を有する表示制御部を備えた携帯情報端末装置であって、
筐体表面に、前記表示画面を横長に用いる操作ボタン群および縦長に用いる操作ボタン群を含む操作ボタン群が設けられるとともに、これら操作ボタン群の上をスライドし、スライドによって前記操作ボタン群の一方の操作ボタン群を被覆するときには他方の操作ボタン群が露出する形状に形成可能とするスライド部材が設けられ、
前記表示制御部は、露出されている操作ボタン群の任意のボタンが操作されたときには、前記表示画面の表示形態をその操作ボタン群に対応する横長または縦長に設定することを特徴とする携帯情報端末装置。
【手続補正２】
【補正対象書類名】明細書
【補正対象項目名】請求項２
【補正方法】変更
【補正の内容】
【請求項２】  横長の表示形態と縦長の表示形態との両方の表示形態が可能な矩形形状の表示画面を有する表示制御部を備えた携帯情報端末装置であって、
筐体表面に、前記表示画面を横長に用いる操作ボタン群および縦長に用いる操作ボタン群を含む操作ボタン群が設けられるとともに、これら操作ボタン群の上をスライドし、スライドによって前記操作ボタン群の一方の操作ボタン群を被覆するときには他方の操作ボタン群が露出する形状に形成可能とするスライド部材が設けられ、
前記操作ボタン群の前記スライド部材による露出状態を検知する検知手段を有し、
前記表示制御部は、前記検知手段に基づいて、前記表示画面の表示形態をその露出している操作ボタン群に対応する横長または縦長に設定することを特徴とする携帯情報端末装置。
【手続補正３】
【補正対象書類名】明細書
【補正対象項目名】００１７
【補正方法】変更
【補正の内容】
【００１７】
【課題を解決するための手段】
上記課題を解決するため、本発明の携帯情報端末装置は、横長の表示形態と縦長の表示形態との両方の表示形態が可能な矩形形状の表示画面を有する表示制御部を備えた携帯情報端末装置であって、筐体表面に、前記表示画面を横長に用いる操作ボタン群および縦長に用いる操作ボタン群を含む操作ボタン群が設けられるとともに、これら操作ボタン群の上をスライドし、スライドによって前記操作ボタン群の一方の操作ボタン群を被覆するときには他方の操作ボタン群が露出する形状に形成可能とするスライド部材が設けられ、前記表示制御部は、露出されている操作ボタン群の任意のボタンが操作されたときには、前記表示画面の表示形態をその操作ボタン群に対応する横長または縦長に設定することを特徴とする。
【手続補正４】
【補正対象書類名】明細書
【補正対象項目名】００１８
【補正方法】変更
【補正の内容】
【００１８】
このような特徴を有する本発明によれば、表示画面を横長サイズとして使用する場合には、スライド部材を例えば下側に移動させることで、筐体表面の上側に設けられている操作ボタン群が露出するので、この露出した操作ボタン群の例えば電源ボタンを操作すると、表示制御部は、この上側の操作ボタン群の電源ボタンの操作を検知して、表示画面の表示形態を例えば横長に設定し、データを横長サイズで表示する。
【手続補正５】
【補正対象書類名】明細書
【補正対象項目名】００１９
【補正方法】変更
【補正の内容】
【００１９】
一方、表示画面を縦長サイズとして使用する場合には、スライド部材を例えば上側に移動させることで、筐体表面の下側に設けられている操作ボタン群が露出するので、この露出した操作ボタン群の例えば電源ボタンを操作すると、表示制御部は、この下側の操作ボタン群の電源ボタンの操作を検知して、表示画面の表示形態を例えば縦長に設定し、データを縦長サイズで表示する。
【手続補正６】
【補正対象書類名】明細書
【補正対象項目名】００２０
【補正方法】変更
【補正の内容】
【００２０】
また、本発明の携帯情報端末装置は、横長の表示形態と縦長の表示形態との両方の表示形態が可能な矩形形状の表示画面を有する表示制御部を備えた携帯情報端末装置であって、筐体表面に、前記表示画面を横長に用いる操作ボタン群および縦長に用いる操作ボタン群を含む操作ボタン群が設けられるとともに、これら操作ボタン群の上をスライドし、スライドによって前記操作ボタン群の一方の操作ボタン群を被覆するときには他方の操作ボタン群が露出する形状に形成可能とするスライド部材が設けられ、前記操作ボタン群の前記スライド部材による露出状態を検知する検知手段を有し、前記表示制御部は、前記検知手段に基づいて、前記表示画面の表示形態をその露出している操作ボタン群に対応する横長または縦長に設定することを特徴とする。
【手続補正７】
【補正対象書類名】明細書
【補正対象項目名】００２１
【補正方法】変更
【補正の内容】
【００２１】
このような特徴を有する本発明によれば、表示画面を横長サイズとして使用する場合には、スライド部材を例えば下側に移動させることで、筐体表面の上側に設けられている操作ボタン群が露出し、検知手段がこのスライド部材の移動を検知するので、表示制御部は、この検知手段に基づいて、表示画面の表示形態を例えば横長に設定し、データを横長サイズで表示する。
【手続補正８】
【補正対象書類名】明細書
【補正対象項目名】００２２
【補正方法】変更
【補正の内容】
【００２２】
一方、表示画面を縦長サイズとして使用する場合には、スライド部材を例えば上側に移動させることで、筐体表面の下側に設けられている操作ボタン群が露出し、検知手段がこのスライド部材の移動を検知するので、表示制御部は、この検知手段に基づいて、表示画面の表示形態を例えば縦長に設定し、データを縦長サイズで表示する。
【手続補正９】
【補正対象書類名】明細書
【補正対象項目名】００７１
【補正方法】変更
【補正の内容】
【００７１】
【発明の効果】
本発明の携帯情報端末装置によれば、表示画面を横長サイズとして使用する場合には、スライド部材を例えば下側に移動させることで、筐体表面の上側に設けられている操作ボタン群が露出するので、この露出した操作ボタン群の例えば電源ボタンを操作すると、表示制御部は、この上側の操作ボタン群の電源ボタンの操作を検知して、表示画面の表示形態を例えば横長に設定し、データを横長サイズで表示する。一方、表示画面を縦長サイズとして使用する場合には、スライド部材を例えば上側に移動させることで、筐体表面の下側に設けられている操作ボタン群が露出するので、この露出した操作ボタン群の例えば電源ボタンを操作すると、表示制御部は、この下側の操作ボタン群の電源ボタンの操作を検知して、表示画面の表示形態を例えば縦長に設定し、データを縦長サイズで表示するようになっている。このように、スライド部材を上側または下側にスライドさせるだけの簡単な操作で、表示画面を横長サイズまたは縦長サイズに切り替えることができるため、その後、キー入力を行うという動作をすることで、使用者は意識することなく表示画面の切り替えを行うことができる。
【手続補正１０】
【補正対象書類名】明細書
【補正対象項目名】００７２
【補正方法】変更
【補正の内容】
【００７２】
また、本発明の携帯情報端末装置によれば、表示画面を横長サイズとして使用する場合には、スライド部材を例えば下側に移動させることで、筐体表面の上側に設けられている操作ボタン群が露出し、検知手段がこのスライド部材の移動を検知するので、表示制御部は、この検知手段に基づいて、表示画面の表示形態を例えば横長に設定し、データを横長サイズで表示する。一方、表示画面を縦長サイズとして使用する場合には、スライド部材を例えば上側に移動させることで、筐体表面の下側に設けられている操作ボタン群が露出し、検知手段がこのスライド部材の移動を検知するので、表示制御部は、この検知手段に基づいて、表示画面の表示形態を例えば縦長に設定し、データを縦長サイズで表示するようになっている。このように、スライド部材を上側または下側にスライドさせるだけの簡単な操作で、表示画面を横長サイズまたは縦長サイズに切り替えることができるため、使用者は、意識することなく表示画面の切り替えを行うことができる。